(57)【要約】  押し釦は、押下げ可能なパネルと、パネルの押下げ方向に配置され、スイッチを搭載した基板と、基板とパネルとの間に配置されたアームとを有する。アームは、自由端と固定端を持つ片持ちはり形状を有し、固定端よりも自由端に近い位置において、スイッチに対向すると共に突起部が形成され、パネルの押下げ操作によって押し下げられる。突起部は、アームの押下げによってスイッチを押圧する。パネルにおいて、固定端よりも自由端に近い部分は、自由端よりも固定端に近い部分よりも大きく押し下げられる。
2016143285.tif 000002
【特許請求の範囲】
【請求項１】
押下げ可能なパネルと、
前記パネルの押下げ方向に配置され、スイッチを搭載した基板と、
前記基板と前記パネルとの間に配置され、片持ちはり形状を有するアームと、を備え、
前記アームは、自由端と固定端を有し、前記固定端よりも前記自由端に近い位置において、前記スイッチに対向すると共に突起部が形成され、前記パネルの押下げ操作によって押し下げられ、
前記突起部は、前記アームの押下げによって前記スイッチを押圧し、
前記パネルにおいて、前記固定端よりも前記自由端に近い部分は、前記自由端よりも前記固定端に近い部分よりも大きく押し下げられることを特徴とする押し釦。
【請求項２】
前記パネルは、前記自由端よりも前記固定端に近い部分に支点を有しており、
前記アームにおいて前記突起部が形成される位置と前記アームの前記固定端との距離は、前記パネルにおいて前記スイッチに対向する位置と前記支点との距離よりも短いことを特徴とする請求項１に記載の押し釦。
【請求項３】
前記基板には、発光素子が配置され、
前記アームは、前記発光素子から前記パネルに向かう光の経路を回避して配置されることを特徴とする請求項１または２に記載の押し釦。
【請求項４】
請求項１から３のいずれかに記載の押し釦と、
前記押し釦に対する押下げ操作に応じて処理を実行する処理部と、
を備えることを特徴とする電子機器。
【発明の詳細な説明】
【技術分野】
【０００１】
本開示は、押し釦に関し、特にスイッチを間接的に押圧する押し釦およびそれを利用した電子機器に関する。
【背景技術】
【０００２】
車載機器への操作を受けつけるために、車載機器には押し釦が設けられる。具体的には、車載機器の前面に配置された操作パネルに開口部が設けられ、開口部に押し釦が組み付けられる（例えば、特許文献１参照）。
【先行技術文献】
【特許文献】
【０００３】
【特許文献１】国際公開第２０１２／１３１７７４号
【発明の概要】
【０００４】
本開示のある態様の押し釦は、押下げ可能なパネルと、パネルの押下げ方向に配置され、スイッチを搭載した基板と、基板とパネルとの間に配置され、片持ちはり形状を有するアームと、を有する。アームは、自由端と固定端を有し、固定端よりも自由端に近い位置において、スイッチに対向すると共に突起部が形成され、パネルの押下げ操作によって押し下げられる。突起部は、アームの押下げによってスイッチを押圧する。パネルにおいて、固定端よりも自由端に近い部分は、自由端よりも固定端に近い部分よりも大きく押し下げられる。
【０００５】
本開示によれば、釦の直下にスイッチが配置されない場合において、耐久性を向上できる。
【図面の簡単な説明】
【０００６】
【図１】図１は、実施例に係る電子機器が搭載される車室内を後方から見た外観図である。
【図２Ａ】図２Ａは、実施例の電子機器の表面の外観を示す図である。
【図２Ｂ】図２Ｂは、実施例の電子機器の側面の外観を示す図である。
【図３】図３は、実施例の押し釦の構成を示す断面図（図２ＡのＩＩＩ−ＩＩＩ線における断面図）である。
【図４】図４は、図３のＩＶ−ＩＶ線における断面図である。
【図５】図５は、図３のパネルに対する押下げ操作を示す断面図である。
【図６】図６は、実施例の電子機器の概略構成を示すブロック図である。
【発明を実施するための形態】
【０００７】
従来、釦の直下にスイッチを配置させて、釦を押し下げることによってスイッチを直接押圧することが一般的であるが、意匠仕様、基板配置位置の制約により、釦の直下にスイッチを配置できない場合がある。また、そのような場合でも、釦の耐久性が高い方が好ましい。
【０００８】
本開示は、こうした状況に鑑みてなされたものであり、釦の直下にスイッチが配置されない場合において、耐久性を向上する技術を提供する。
【０００９】
本開示の実施例を具体的に説明する前に、基礎となった知見を説明する。本開示の実施例は、車両に搭載された電子機器、例えば、カーオーディオ装置に関する。一般に、電子機器には、ユーザからの指示を受けつけるための押し釦が備えられる。電子機器の意匠性の観点から、電子機器の前面に配置されたパネルに釦を取り付ける構成ではなく、パネルを釦として押下げ可能な構成とされる。しかしながら、前述のごとく、意匠仕様、基板配置位置の制約により、パネルを押し下げる部分の直下にスイッチを配置できない場合がある。
【００１０】
そのような場合でも押し釦を実現するために、パネルとスイッチの間に中間部品が追加される。この追加によって、押し釦を構成している部品数が増加し、構成が複雑になる。その結果、押し釦の耐久性が低下する。このような状況のもと、パネルを押し下げる部分の直下にスイッチが配置されない場合においても、押し釦の耐久性を向上させることが望まれる。そこで、本実施例に係る電子機器、特に電子機器に備えられた押し釦は以下のように構成される。
【００１１】
図１は、本開示の実施例に係る電子機器１０が搭載される車室内を後方から見た外観図である。ここで、図１に示すように、ｘ軸、ｙ軸、ｚ軸からなる直角座標系が規定される。ｘ軸は、車両の前後方向に延び、ｙ軸は、車両の左右方向に延び、ｚ軸は、車両の上下方向に延びる。また、ｘ軸、ｙ軸、ｚ軸のそれぞれの正の方向は、図１における矢印の方向に規定され、負の方向は、矢印と逆向きの方向に規定される。以下では、ｘ軸の正方向側を「表面側」ということもあり、ｘ軸の負方向側を「裏面側」ということもある。また、ｚ軸の正方向側を「上面側」といい、ｚ軸の負方向側を「下面側」ということもある。
【００１２】
車室内の前方において、ｙ軸の正方向側に運転席６が配置され、ｙ軸の負方向側に助手席８が配置される。また、運転席６よりもｘ軸の負方向側にハンドル４が配置される。なお、ハンドル４および運転席６は、ｙ軸の負方向側に配置されてもよい。さらに、ハンドル４よりもｘ軸の負方向側にフロントガラス２が配置される。また、ハンドル４よりもｙ軸の負方向側のセンターコンソールには、電子機器１０が、嵌め込まれる。電子機器１０の外観および構成については後述する。電子機器１０は、図示しないケーブルを介してスピーカ１２を接続する。スピーカ１２は、左右のドアの内部に配置される。
【００１３】
図２Ａ及び図２Ｂは、電子機器１０の外観を示す。図２Ａは、電子機器１０の表面の外観図であり、図２Ｂは、電子機器１０の側面の外観図である。図２Ａに示されているように、電子機器１０の表面には、ｙ−ｚ平面上にモニタ１４が配置される。また、モニタ１４を囲むように、パネル２２が配置される。パネル２２には、ツマミ１６が取り付けられる。ツマミ１６は、ｙ−ｚ平面内において回転可能である。ユーザは、ツマミ１６を回転することによって、指示を電子機器１０に入力する。また、ツマミ１６は、ｘ軸の負方向に押下げ可能に構成されており、ユーザは、ツマミ１６を押し下げることによって、指示を電子機器１０に入力してもよい。パネル２２のｚ軸およびｙ軸の正方向の角部分には、押し釦２０が形成されている。ユーザは、押し釦２０におけるパネル２２を押し下げることによって、指示を電子機器１０に入力する。
【００１４】
図３は、押し釦２０の構成を示す断面図（図２ＡのＩＩＩ−ＩＩＩ線における断面図）である。図４は、図３のＩＶ−ＩＶ線における断面図である。押し釦２０は、パネル２２、基板２４、アーム３０、弾性部４２、拡散板４４、第１支持部４６、第２支持部４８を含む。パネル２２は、対向位置３８、支点４０を含み、基板２４は、スイッチ２６、発光素子２８と総称される第１発光素子２８ａ、第２発光素子２８ｂを含み、アーム３０は、固定端３２、自由端３４、突起部３６、第１アーム５０、第２アーム５２を含む。
【００１５】
パネル２２と基板２４は、ｙ−ｚ平面において面状に形成されており、ｘ方向に略平行に離間して配置される。ここで、「略」とは、誤差の範囲も含むことを意味する。第１支持部４６は、ｘ軸に沿って、基板２４からパネル２２にわたって設けられ、かつパネル２２近傍において屈曲してｙ軸の負方向に沿って設けられる。第１支持部４６には、パネル２２が固定される。そのため、第１支持部４６は、パネル２２を支持する。また、第１支持部４６は、基板２４からパネル２２に至る距離の半分よりも基板２４に近い位置において、ｙ軸の正方向側に分岐する。分岐した部分が第２支持部４８である。
【００１６】
パネル２２は、ｙ軸の負方向側において第１支持部４６に固定される。パネル２２は、第１支持部４６に固定された部分よりもｙ軸の正方向側において、ｘ軸の負方向へ押下げ可能な構成を有する。基板２４は、パネル２２の押下げ方向、つまりｘ軸の負方向側に配置される。基板２４は、スイッチ２６、２つの発光素子２８を搭載する。具体的には、ｙ軸の負方向から正方向へ向かって、第１発光素子２８ａ、第２発光素子２８ｂ、スイッチ２６が一列に並んで配置される。スイッチ２６は、ｘ軸の負方向に押圧されることによって、電子機器１０への指示が入力される。スイッチ２６、発光素子２８には、公知の技術が使用されればよいので、ここでは説明を省略する。
【００１７】
アーム３０は、ｘ軸方向において、基板２４とパネル２２との間に配置される。アーム３０は、片持ちはり形状を有する。具体的に説明すると、アーム３０は、ｙ軸の負方向の端において、第２支持部４８に固定される。固定される部分が固定端３２である。また、アーム３０のｙ軸の正方向の端が自由端３４である。アーム３０は、固定端３２よりも自由端３４に近い位置においてスイッチ２６に対向する。アーム３０のスイッチ２６に対向する位置には突起部３６が形成されており、アーム３０のスイッチ２６に対向する部分は、パネル２２の押下げ操作によってｘ軸の負方向に押し下げられる。すなわち、アーム３０は、固定端３２よりも自由端３４に近い位置において、スイッチ２６に対向すると共に突起部３６が形成され、パネル２２の押下げ操作によって押し下げられる。
【００１８】
突起部３６は、ｘ軸の正方向においてパネル２２の近傍まで延び、ｘ軸の負方向においてスイッチ２６の近傍まで延びる。突起部３６は、アーム３０の押下げによってスイッチ２６を押圧する。また、アーム３０とパネル２２との間には、弾性部４２、拡散板４４が配置される。拡散板４４は、発光素子２８にから発光される光を拡散させる。弾性部４２は、ゴム等で形成されており、パネル２２による突起部３６の摩耗を低減させるために、パネル２２と突起部３６との間に配置される。また、弾性部４２は、拡散板４４上において発光素子２８からパネル２２に向かう光の経路を回避して配置される。具体的には、弾性部４２は、ｙ−ｚ平面において、ｚ軸方向に離間する部分を有し、それぞれがｙ軸方向に沿って配置される。そのため、発光素子２８の上方（ｘ軸の正方向）の位置には弾性部４２は形成されておらず、発光素子２８からの光を透過させることができる。
【００１９】
アーム３０における第１アーム５０と第２アーム５２は、ｙ−ｚ平面において、ｚ軸方向に離間しながらｙ軸方向に沿って配置される。また、第１アーム５０と第２アーム５２は、自由端３４側の突起部３６において連結される。ｙ−ｚ平面において、第１アーム５０と第２アーム５２の間には、第１発光素子２８ａと第２発光素子２８ｂとが配置される。そのため、第１発光素子２８ａと第２発光素子２８ｂは、第１アーム５０と第２アーム５２に遮られることなく、パネル２２に対向する。このように、第１アーム５０と第２アーム５２は、発光素子２８からパネル２２に向かう光の経路を回避して配置される。
【００２０】
パネル２２では、アーム３０の固定端３２側（自由端３４よりも固定端３２に近い部分）に支点４０を有している。支点４０よりもｙ軸の負方向側では、パネル２２が第１支持部４６に固定されており、支点４０よりもｙ軸の正方向側では、パネル２２が固定されていない。そのため、図５に示すように、パネル２２の押下げ量は、支点４０よりもアーム３０の自由端３４に近い位置において大きい。すなわち、パネル２２において、固定端３２よりも自由端３４に近い部分は、自由端３４よりも固定端３２に近い部分よりも大きく押し下げられる。このように、パネル２２の支点４０と、アーム３０の固定端３２とが突起部３６に対して同一方向に設けられているので、パネル２２を押し下げた場合に、パネル２２とアーム３０とが同一方向に押し下げられる。そのため、パネル２２とスイッチ２６との間の摩擦の増加が抑制される。
【００２１】
パネル２２において、スイッチ２６に対向した位置は対向位置３８と示される。対向位置３８と支点４０との距離を第１距離とし、アーム３０における突起部３６が形成される位置と固定端３２との距離を第２距離とした場合、第２距離は第１距離よりも短くされる。このような構成によって、支点４０よりもｙ軸の正方向側に固定端３２、第１支持部４６が配置される。そのため、第１支持部４６よりもｙ軸の負方向側に設けられる回路領域５４を広くすることができる。
【００２２】
図６は、電子機器１０の概略構成を示すブロック図である。電子機器１０は、処理部１００、モニタ１４、スピーカ１２、押し釦２０、ツマミ１６を含む。
【００２３】
押し釦２０は、前述のごとく、ユーザによる指示を受けつける。指示の一例は、処理部１００における音声の再生の指示である。押し釦２０は、受けつけた指示を処理部１００に出力する。ツマミ１６も、ユーザによる指示を受けつける。指示の一例は、処理部１００において再生すべき音声の選択の指示である。
【００２４】
処理部１００は、所定の処理を実行する。前述のごとく、電子機器１０がカーオーディオ装置である場合、所定の処理は、音声再生、情報生成等に相当する。処理部１００は、押し釦２０に対する押下げ操作に応じて処理を実行するとともに、ツマミ１６に対する回転操作に応じて処理を実行する。
【００２５】
スピーカ１２、モニタ１４は、図１に示すように配置される。スピーカ１２は、処理部１００において再生された音声を出力する。また、モニタ１４は、処理部１００において生成された情報を表示する。
【００２６】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００２７】
本開示の実施例によれば、スイッチが搭載された基板とパネルとの間に、スイッチを押圧するための突起部を形成したアームが配置されるので、パネルにおいてユーザが押し下げる部分の直下にスイッチが配置されない場合であっても、スイッチを押圧できる。また、パネルの支点と、アームの固定端がスイッチに対して、同一方向に配置されているので、パネルとアームを同一方向に押し下げることができる。また、パネルの押下げ量は、アームの固定端側よりも自由端側において大きいので、パネルとアームを同一方向に押し下げることができる。
【００２８】
また、パネルとアームを同一方向に押し下げられるので、突起部とパネルとの間の摩擦を軽減できる。また、突起部とパネルとの間の摩擦が軽減されるので、部品の劣化を抑制できる。また、部品の劣化が抑制されるので、耐久性を向上できる。また、突起部とパネルとの間の摩擦が軽減されるので、操作荷重を低減できる。また、操作荷重が低減されるので、耐久性を向上できる。また、発光素子からパネルに向かう光の経路を回避するようにアームが配置されるので、ユーザによる視認性を向上できる。
【００２９】
以上、本開示を実施例をもとに説明した。この実施例は例示であり、それらの各構成要素あるいは各処理プロセスの組合せにいろいろな変形例が可能なこと、またそうした変形例も本開示の範囲にあることは当業者に理解されるところである。
【００３０】
本開示の実施例において、電子機器１０はカーオーディオ装置として構成される。しかしながら、電子機器１０は、カーオーディオ装置に限定されず、例えばカーナビゲーション装置、エアコンディショナー装置等の他の車載装置として構成されてもよい。さらに、電子機器１０は、車載装置に限定されず、家庭用電子機器、事業用電子機器として構成されてもよい。その際、カーオーディオ機能のインターフェイスの機能以外の機能が実行されてもよい。本変形例によれば、適用範囲を拡大できる。
【産業上の利用可能性】
【００３１】
本開示は、車両等に搭載される電子機器に適用可能であり、特に意匠性の高い電子機器において耐久性を向上することができる。
【符号の説明】
【００３２】
１０  電子機器
２０  押し釦
２２  パネル
２４  基板
２６  スイッチ
２８  発光素子
２８ａ  第１発光素子
２８ｂ  第２発光素子
３０  アーム
３２  固定端
３４  自由端
３６  突起部
３８  対向位置
４０  支点
４２  弾性部
４４  拡散板
５０  第１アーム
５２  第２アーム
１００  処理部
【図１】
2016143285.tif 000003
【図２Ａ】
2016143285.tif 000004
【図２Ｂ】
2016143285.tif 000005
【図３】
2016143285.tif 000006
【図４】
2016143285.tif 000007
【図５】
2016143285.tif 000008
【図６】
2016143285.tif 000009
【国際調査報告】
2016143285.tif 000010
2016143285.tif 000011
2016143285.tif 000012
2016143285.tif 000013